(57)【要約】  卓越して明るい、高利得反射ビームスプリッタのシステムおよび形成方法が提供されている。上記ビームスプリッタの上記多層フィルムの、各接着されていない、接触している層は、付加的に明るさが増加する、前および後ろの反射面を有する。上記システムは、テーブル、ステップダウン棚、切断棒、つかみ装置、張力装置、フレーム、巻上アセンブリ、および、台車を含有することができる。上記ビームスプリッタの組立は、上記多層フィルムの上記トリムされた縁に沿った、付与された張力の作用として、わずかに滑るつかみ装置を使用することができる。この滑るつかみ装置のスキームは、互いに対面して接触する上記多層フィルムの実質的に同一平面上のシートの組立をもたらし、上記シート間のほとんどの空気を除去することをもたらし得る。上記高利得反射ビームスプリッタの上記多層フィルムの上記平面の完全性は、上記高利得反射ビームスプリッタが標準的な劇場のステージの規模てある場合でも、ほとんどいかなる所望の表示角度に維持することができる。
2015526762.tif 000002
【特許請求の範囲】
【請求項１】
複数のテーブルと；
複数のステップダウン棚と；
複数の切断棒と；
複数のつかみ装置と；
複数の張力装置と；
フレームと；
巻上アセンブリと；
複数の台車と；
を含む、部分反射ビームスプリッタの組立に用いられる表示装置システム。
【請求項２】
さらに、平坦化装置を含む、請求項１のシステム。
【請求項３】
さらに、圧縮空気ラインを含む、請求項１のシステム。
【請求項４】
さらに、手押し車を含む、請求項１のシステム。
【請求項５】
さらに、実質的に透明なフィルムのロールを含む、請求項１のシステム。
【請求項６】
前記実施的に透明なフィルムは、ポリエチレン、ポリプロピレン、ポリブチレン、ポリカーボネート、ポリイミド、ポリスチレン、ポリメチルメタクリレート、ポリジメチルシロキサン、乳酸グリコール酸共重合体(poly(lactic-co-glycolic acid))、ポリエチレン・テレフタレート（ＰＥＴ）、ポリ塩化ビニリデン、ポリアミド、ポリエーテル・ブロック・アミド、トリニトロトリメチレントリアミン、ポリカプロラクタン、ポリテトラフルオロエチレン、フッ化ビニリデン、ヘキサフルオロプロピレン、ポリ塩化ビニル、ポリ臭化ビニル、ポリサッカライド、ポリエステル、ポリアミド、芳香族ポリアミド、ポリウレタン、ポリシロキサン、芳香族ポリマー、フェノールポリマー、ポリ硫化物、ポリアセタール、ハロゲン化ポリオレフィン、ポリエチレンオキサイド、ポリアクリレート、ポリメタクリレート、ポリカーボネート、ポリジエン、および、ヘキサメチレン・ジアミン・アジピン酸ポリマーから成る群の少なくとも１つから選択されるポリマー材料を含むことを特徴とする請求項５のシステム。
【請求項７】
前記実質的に透明なフィルムのロールが、ポリエチレン・テレフタレート（ＰＥＴ）でできていることを特徴とする請求項５のシステム。
【請求項８】
前記テーブルが、相互に接続可能となるように構成されていることを特徴とする請求項１のシステム。
【請求項９】
各テーブルが、
上面と；
下面と；
前記下面へ取り付けられた、複数の脚と；
前記下面へ取り付けられた、複数のラッチと；
を含むことを特徴とする請求項１のシステム。
【請求項１０】
前記各脚が、
前記下面へ取り付けられた連結基盤と；
前記連結基盤へ取り付けられたシャフトと；
前記シャフトへ取り付けられたフットと；
を含むことを特徴とする請求項９のシステム。
【請求項１１】
各ステップダウン棚が、
頂面と；
底面と；
前記テーブルトップの前記底面へ取り付けられた複数の支柱であって、各支柱が、
前記サイドボードの前記底面へ取り付けられた連結板と；
前記連結板へ取り付けられたシャンクと；
前記シャンクへ取り付けられたフッターと；を含み、
前記サイドボードの前記底面へ取り付けられた複数のクラスパーと；
を含むことを特徴とする請求項１のシステム。
【請求項１２】
各つかみ装置がクランプと、前記クランプとスライド可能にかみ合わせることができる引張り装置とを含み、
前記クランプが、
２つの対向する顎を枢動可能に接続するヒンジ装置と；
前記顎へ取り付けられたパッドと；
少なくとも１つの前記顎へ取り付けられた止めねじ(set screw)と；
後部開口と；
を含み、
前記引張り装置が、
引張り棒と；
安定器ロッドと；
前記クランプの前記後部開口へスライド可能にかみ合わせることができる連結器と；
を含むことを特徴とする請求項１のシステム。
【請求項１３】
前記パッドは、ポリクロロプレン、シリコーンゴム、イソブチレン−イソプレンポリマー、フレキシブルＰＶＣ、天然ゴム、低密度ポリエチレン、ヒドリンゴム、塩化ビニルベンジル・スチレン−ブタジエンゴム、クロロブチルゴム、ブロモブチルゴム、ブロモメチル・スチレンブチルゴム、マレイン酸スチレン−ブタジエンゴム、カルボン酸スチレン−ブタジエンゴム、エポキシイソプレンゴム、マレイン酸変性天然ゴム、マレイン酸エチレンプロピレンゴムおよびカルボン酸ニトリル−ブタジエンゴム、ブチルゴム、エピクロルヒドリンゴム、ニトリルゴム、水素化ニトリルゴム、スチレン−ブタジエンゴム、ウレタンゴム、フッ素ゴム、シリコンゴム、スチレン−エチレン−ブチレン−スチレン（ＳＥＢＳ）ゴム、エチレン−プロピレンゴム、エチレン−プロピレン−ジエン（ＥＰＤＭ）ゴム、ブタジエンゴム、クロロスルホン化ポリエチレン（ＣＳＰＥ）合成ゴム、エチレン酢酸ビニルゴム、および、アクリルゴムから成る群の少なくとも１つから選択されるポリマー材料を含むことを特徴とする請求項１２のシステム。
【請求項１４】
前記各張力装置が、１つの入力供給ライン接続部を有する空気圧シリンダ張力装置を含むことを特徴とする請求項１のシステム。
【請求項１５】
前記各張力装置が、１つの入力供給ラインおよびロックライン接続部を有する空気圧シリンダ張力装置を含むことを特徴とする請求項１のシステム。
【請求項１６】
前記フレームが、トラスフレームを含むことを特徴とする請求項１のシステム。
【請求項１７】
前記巻上アセンブリが、
滑車と；
ケーブルと；
ジャックと；
を含むことを特徴とする請求項１のシステム。
【請求項１８】
ステップダウン棚を有するテーブルと；
切断棒と；
つかみ装置と；
張力装置と；
フレームと；
を含む、部分反射ビームスプリッタの組立に用いられる表示装置システム。
【請求項１９】
部分反射ビームスプリッタの組立方法であって、前記方法が、
複数のテーブルと；
複数のステップダウン棚と；
複数の切断棒と；
複数のつかみ装置であり、各つかみ装置が、
２つの対向する顎を枢動可能に接続するヒンジ装置と；
前記顎へ取り付けられたパッドと；
少なくとも１つの前記顎へ取り付けられた止めねじと；
後部開口と；
を含むクランプと；
前記クランプへスライド可能にかみ合わせることができる引張り装置であり、前記引張り装置は、
引張り棒と；
前記クランプの前記後部開口へスライド可能にかみ合わせることができる連結器と；
を含む引張り装置と；
を含む各つかみ装置と；
複数の張力装置と；
フレームと；
巻上アセンブリであって、
滑車と；
ケーブルと；
ジャックと；
を含む巻上アセンブリと；
複数の台車と；
手押し車と；
平坦化装置と；
圧縮空気ラインと；
手押し車と；
実質的に透明なフィルムのロールと；
を含むシステムを取得することと；
前記テーブルを平坦化するために前記平坦化装置を使用することと；
前記テーブルを相互に接続することと；
前記相互に接続されたテーブルの周りに、前記ステップダウン棚を接続することと；
前記相互に接続されたテーブルの周りに前記切断棒が分配されるように、前記接続されたステップダウン棚上に前記切断棒を横たえることと；
前記台車上へ前記実質的に透明なフィルムのロールを引っ掛けることと；
前記接続されたステップダウン棚上へ前記実質的に透明なフィルムのロールの後縁を添付することと；
前記相互に接続されたテーブルの上方に前記実質的に透明なフィルムのロールの一部を巻き戻すこと；
前記相互に接続されたテーブル上に、実質的に透明なフィルムのシートを残すために、前記実質的に透明なフィルムのロールの巻き戻された部分を切断すること；
前記多層フィルム装置を築くために、添付し、巻き戻し、および切断する手順を繰り返すことと；
ガイドとして前記切断棒を使用することにより、前記多層フィルム装置をトリミングすることと；
前記トリミング手順が完了した後に、前記切断棒を前記相互に接続されたテーブルから離して除去することと；
前記トリムされた多層フィルム装置の周りに、前記クランプを位置することと；
前記トリムされた多層フィルム装置上に前記パッドが保持されるように、前記各位置されたクランプの前記止めねじを締め付けることと；
前記トリムされた多層フィルム装置の周りに前記つかみ装置を形成するために、各位置されたクランプの後端における前記後部開口内へ、前記近接してつなぎ合わされている前記引張り装置をスライドさせることと；
前記トリムされた多層フィルム装置の周りに、前記フレームを配置することと；
前記各位置されたクランプに、前記引張り棒において、かつ、前記位置されたフレーム上へ、前記張力装置を据え付けることと；
前記据え付けられた張力装置へ、前記圧縮空気ラインを垂直にする(plumbing)ことと；
実質的に平面な構成内へ、前記トリムされた多層フィルム装置を固定するために、前記垂直にされた圧縮空気ラインに圧力を付与することと；
前記フレーム内の前記トリムされた多層フィルム装置の前記実質的に平面な構成を維持するために、前記圧力を付与し、前記張力装置を所定の位置に固定することと；
前記部分反射ビームスプリッタを形成するために据え付けられた前記トリムされた多層フィルム装置の、全ての露出された角の周りのつかみ装置を封印することと；
前記部分反射ビームスプリッタの前記フレームへ、前記台車を取り付けることと；
前記部分反射ビームスプリッタの前記フレームへ、前記巻上アセンブリおよび前記手押し車を装備する(rigging)ことと；
前記巻上アセンブリを使用することにより、前記部分反射ビームスプリッタの前記フレームを視野角へ曲げることと；
前記フレームを支持するために、前記ジャックおよび前記巻上アセンブリを使用することにより、前記部分反射ビームスプリッタの前記ある角度に曲げられたフレームを支持することと；
を含む方法。
【請求項２０】
部分反射ビームスプリッタの組立方法であって、前記方法が、
ステップダウン棚を有するテーブルと；
切断棒と；
複数のつかみ装置と；
複数の張力装置と；
フレームと；
を含む表示装置システムを入手することと；
前記接続されたステップダウン棚上へ前記実質的に透明なフィルムの前記ロールの後縁を隣接させることと；
テーブルの上方に前記実質的に透明なフィルムの前記ロールの一部をほどくことと；
前記テーブル上に実質的に透明なフィルムのシートを残すために、実質的に透明なフィルムの前記ロールの、前記ほどかれた部分を切り取ることと；
多層フィルム装置を築くために、前記隣接、ほどき、および、剪断手順を反復することと；
前記多層フィルム装置の周りに、前記つかみ装置をクランプすることと；
前記トリムされた多層フィルム装置の周りに、前記フレームを一直線に並べることと；
前記フレームへ、前記つかみ装置を連結することと；
前記接続されたつかみ装置上へ、かつ、前記フレーム上へ、前記張力装置を結合することと；
前記フレーム内の実質的に平面の構成内へ、前記トリムされた多層フィルム装置を固定するために、前記張力装置の張力を張ることと；
前記張力装置を取り外すことと；
を含む方法。
【発明の詳細な説明】
【技術分野】
【０００１】
本発明は、ペッパーズ・ゴースト幻影装備品に関し、より具体的には、極めて大きなディスプレイ上に高利得反射幻影像を提供するために用いられる部分反射ビームスプリッタに関する。
【背景技術】
【０００２】
部分反射ビームスプリッタの分野においては、多種多様な反射素子が知られている。例えば、テレプロンプターなどの部分反射ビームスプリッタがよく知られており、よく使用されている。テレプロンプターは、演説者が読むための文章の反射イメージを実現するという利点を提供すると同時に、上記反射された文章のイメージによって視覚的に妨げられることなく演説者を見ることを観客に許容するという利点も提供する。
【０００３】
上述した装置および類似する装置の全ては、それぞれの、特定の目的および必須要件を満たすが、上述したビームスプリッタ装置およびシステムは、極めて大きなディスプレイ上に高利得反射幻影像を組立および提供するのに用いられるシステムを記述していない。
【０００４】
そのため、極めて大きなディスプレイの高利得反射幻影像の表示に用いられる、高利得反射ビームスプリッタの組立および表示するのに用いられる、新たな、および改良されたシステムへのニーズがある。
【発明の概要】
【課題を解決するための手段】
【０００５】
本発明の表示装置システムおよび部分反射ビームスプリッタの組立方法は、ペッパーズ・ゴーストとして知られる、劇場の重ね合わせ反射幻影において用いられるために提供される。本発明は大きな、高利得反射ビームスプリッタを組み立てるための方法を提供するなど、本発明の原理によれば、他の幻影システムの数々の欠点を克服することができる。
【０００６】
上記表示装置システムおよび部分反射ビームスプリッタの組立方法の１つの変形は、テーブルと、ステップダウン棚と、切断棒と、つかみ装置と、引張り装置と、フレームと、巻上アセンブリと、いくつかの台車と、を含むことが想定される。上記表示装置システムの上記部分反射ビームスプリッタの組立および表示方法の１つの変形は、添付し、ある角度に曲げる、付与する、取り付ける、接続する、切断する、引っ掛ける、相互に接続する、横たえる、据え付ける、取得する、配置する、垂直にする(plumbing)、位置する、除去する、繰り返す、装備する(rigging)、封印する、固定する、スライドさせる、支持する、締め付ける、トリミングする、巻き戻す、使用する手順を含む。
【０００７】
先の、反射効率が低いタイプのペッパーズ・ゴースト表示装置に内在されるデメリットを考慮し、本発明は、以下に極めて詳細に説明される、改良された高利得反射ビームスプリッタ装置を提供し、新規で改良された表示装置システム、および、予想され、自明であるとみなされ、示唆されることがなく、または単一の従来技術または従来技術の組合せによって示唆されることがない、部分反射ビームスプリッタの組立方法を提供する。
【０００８】
このように、大雑把に概略を述べたが、本発明のより重要な特徴をより理解し、従来技術への本発明の貢献がより正しく理解されるために、以下に詳細な記載をする。
【０００９】
本発明は、上記システムの上記相互に接続されたテーブルの平坦化において用いられる任意の平坦化装置など、数々の付加的な任意の特徴をも含む。加えて、上記表示装置システムにおいては、圧縮空気ラインも含まれていてもよい。また、上記表示装置システムにおいては、任意の特徴として、手押し車も含まれていてもよい。さらに、上記表示装置システムにおいては、実質的に透明なフィルム８４のロール８０も任意で含まれていてもよい。
【００１０】
添付の図面と併せて、以下の、好ましいとはいえ、実例となる、本発明の態様の詳細な記述を読むことにより、数々の本発明の形態、特徴および利点が当業者にはすぐに分かる。この点において、本発明の現在の態様を詳細に説明する前に、当然のことながら本発明は、以下の記述において説明され、または、図面に描かれている、構成の詳細および構成要素のアレンジの適用に限定されない。本発明においては、他の態様が可能であり、様々な方法により実施され、実行されることができる。また、当然のことながら、ここで採用される表現や専門用語は、説明する目的のためであり、限定であるとみなされるべきではない。
【００１１】
このように、大雑把に概略を述べたが、本発明のより重要な特徴をより理解し、従来技術への本発明の貢献がより正しく理解されるために、以下に詳細な記載をする。
【００１２】
さらに、以下の要約書の目的は、米国特許商標庁および一般大衆、特に、特許または法律用語または専門用語に精通していない当技術分野の科学者、エンジニア、実行者が、本願の技術的な開示の本質および特質を、大雑把な検索から迅速に判断できることを可能にすることである。上記要約書は、上記クレームによって評価される本願の発明を定義するものでも、いかなる方法において本発明の範囲を限定することを意図するものでもない。
【図面の簡単な説明】
【００１３】
以下の詳細な説明が考慮された場合、本発明はより理解され、上述している以外の形態が明らかになる。そのような説明は、添付の図面を参照する：
【図１】図１は、本発明の原理によって組み立てられた上記表示装置システムの一態様の、相互に接続されたテーブルの上面および下面斜視図を描く。
【図２】図２は、本発明の上記表示装置システムの一態様の、ステップダウン棚と相互に接続されたテーブルの上面および下面斜視図を描く。
【図３】図３は、相互に接続されたテーブルおよびステップダウン棚の部分上面斜視図を描き、また、本発明の上記表示装置システムの一態様の切断棒も示す。
【図４】図４は、本発明の上記表示装置システムのつかみ装置の一態様の斜視図である。
【図５】図５の（ａ）〜（ｄ）は、本発明の上記表示装置システムの一態様の上記多層フィルム装置上へ上記つかみ装置をしっかりとつかませるために用いられる手順における種々のポイントを描いている、つかみ装置の一態様の上記クランプおよび上記引張り棒の側面図である。
【図６】図６は、本発明の上記表示装置システムの張力装置に連結された引張り装置の一態様の斜視図である。
【図７】図７の（ａ）〜（ｃ）は、本発明の上記表示装置システムの一態様の透明フィルムのシートを引き出すのに用いられる、ステップダウン棚を有する相互に接続されたテーブルおよび切断棒の斜視図である。
【図８】図８は、本発明の上記表示装置システムの一態様の、ステップダウン棚を有する上記相互に接続されたテーブル上でトリムされた後の、上記多層フィルム装置の斜視図である。
【図９】図９は、本発明の上記表示装置システムの一態様の上記つかみ装置の上記クランプを支持する、ステップダウン棚を有する上記相互に接続されたテーブル上の、上記トリムされた多層フィルム装置の側面図である。
【図１０】図１０は、本発明の上記表示装置システムの複数のつかみ装置によってつかまれている、上記トリムされた多層フィルム装置の部分斜視図である。
【図１１ａ】図１１ａは、上記表示装置システムの上記多層フィルム装置の周りに配置され、上記多層フィルム装置へ固定された上記フレームの一態様の部分斜視図である。
【図１１ｂ】図１１ｂは、上記表示装置システムの上記多層フィルム装置の周りに配置され、上記多層フィルム装置へ固定された上記フレームの一態様の部分斜視図である。
【図１２】図１２の（ａ）〜（ｂ）は、本発明の上記劇場のビームスプリッタを準備するための上記表示装置システムの上記張力装置へ接続された圧縮空気ラインを有する上記多層フィルム装置へ固定された上記フレームの一態様の上面図である。
【図１３】図１３の（ａ）〜（ｂ）は、本発明の上記劇場のビームスプリッタを準備するための上記表示装置システムの上記多層フィルム装置へ固定された上記フレームの一態様の上面図である。
【図１４】図１４は、支持され、視野角に曲げられた本発明の上記表示装置システムの、完全に組み立てられた劇場のビームスプリッタの斜視図である。  種々の図面を通して、同じ参照番号は、同じ部品を参照する。上記図面は、必ずしも縮尺通りではなく、場合によっては、本発明の特定の特徴をより明確に描くために、一部が誇張されることがある。
【発明を実施するための形態】
【００１４】
以下、本発明は、本発明の代表的な態様が示された添付の図面を参照し、より詳しく説明される。しかしながら本発明は、多くの異なる形態において具体化されてもよく、ここに説明されている態様に限定されて解釈されるべきではない；むしろ、これらの態様は、この開示が完全かつ徹底的なものとなり、当業者に本発明の概念を十分に伝えるように提供されるものである。当然のことながら、ある層が他の層または基板の「上」にあると言及された場合、それは直に他の層または基板の上にあっても、または、介在する層も存在してもよい。図面においては、層および領域の厚さは、明確化のために誇張されており、同様の参照番号は、同様の要素を意味する。
【００１５】
ここで示されている以下の詳細な態様は、説明を目的とするものである。すなわち、これらの詳細な態様は、本発明の作り方および使い方を提供し、当業者にすぐに分かることを助ける目的の、本発明の代表例となることを意図されている。
【００１６】
さらに、当然のことながら、種々のクレームされている方法の工程は順序通りまたは時間的順序であるように示され、記載されているかもしれないが、いかなるそのような方法の工程も、そうではない旨の記載がない限り、任意の特定の並びまたは順序における実行にも限定されるものではない。すなわち、クレームされている方法の工程は、任意の並びの組合せまたは並べ替えの順序において実行されることができると考えられるが、それでも本発明の範囲内である。
【００１７】
ここで図面を、特に図１〜１４を参照すると、一つの本発明の好ましい態様が閉められ、概して、参照番号１０で示される。部分反射ビームスプリッタ９８を構成および表示するのに用いられる表示装置システムの一つの好ましい態様は、複数のテーブル１０と；複数のステップダウン棚３０と；複数の切断棒７８と；複数のつかみ装置５０と；複数の張力装置７２と；フレーム９４と；巻上アセンブリ１００と；複数の台車９２とを有する。
【００１８】
上記テーブル１０は、実質的に平面であれば、任意のタイプの市販のテーブル１０でよい。必須ではないが、上記テーブル１０は相互に接続できるように構成されていることが好ましい。１つの好ましい態様の上記テーブル１０は、各テーブル１０が、上面１２と；下面１４と；上記下面１４へ取り付けられた、複数の高さ調整可能脚１６と；上記下面１４へ取り付けられた、複数のラッチ１８とを有する。好ましい態様の上記テーブル１０の各脚１６は、上記下面１４へ取り付けられた連結基盤２０と；上記連結基盤２０へ取り付けられたシャフト２２と；上記シャフト２２へ取り付けられたフット２４とを有していてもよい。
【００１９】
上記ステップダウン棚３０は、実質的に平面であり、上記テーブル１０よりも低く、かつ、隣接して並べられれば、任意のタイプの市販のステップダウン棚３０でよい。１つの好ましい態様の上記ステップダウン棚３０は、各ステップダウン棚３０が、頂面３２と；底面３４と；上記底面３４へ取り付けられた複数の高さ調整可能支柱３６と；上記底面３４へ取り付けられた複数のクラスパー４４とを有する。好ましい上記ステップダウン棚３０の各支柱は、上記底面３４へ取り付けられた連結板３８と；上記連結板３８へ取り付けられたシャンク４０と；上記シャンク４０へ取り付けられたフッター４２とを有していてもよい。
【００２０】
上記つかみ装置５０は、上記多層フィルム装置８８上にしっかりとつかむことができれば、任意のタイプの市販のタイプのつかみ装置５０でよい。１つの好ましい態様は、各つかみ装置５０が、クランプ５２および引張り装置６４を有する。各好ましいつかみ装置５０のクランプ５２は、２つの対向する顎５６を枢動可能に接続するヒンジ装置５４と；上記顎５６へ取り付けられたパッド５８と；少なくとも１つの上記顎５６へ取り付けられた止めねじ６０(set screw)と；後部開口６２とを有していてもよい。各好ましいつかみ装置５０の引張り装置６４は、上記クランプ５２にスライド可能にかみ合うことができるように構成されている引張り装置６４を有していてもよい。上記引張り装置６４は、引張り棒６６と；上記クランプ５２の上記後部開口６２へスライド可能にかみ合わせることができる連結器６８とを有していてもよい。上記引張り装置６４は、安定器ロッド７０を任意で有していてもよい。上記クランプ５２の上記顎５６へ取り付けられた上記パッド５８は、上記多層フィルム装置８８上へしっかりとつかむことができれば、任意の市販の材料で作られてもよい。例えば、上記パッド５８は、ポリクロロプレン、シリコーンゴム、イソブチレン−イソプレンポリマー、フレキシブルＰＶＣ、天然ゴム、低密度ポリエチレン、ヒドリンゴム、塩化ビニルベンジル・スチレン−ブタジエンゴム、クロロブチルゴム、ブロモブチルゴム、ブロモメチル・スチレンブチルゴム、マレイン酸スチレン−ブタジエンゴム、カルボン酸スチレン−ブタジエンゴム、エポキシイソプレンゴム、マレイン酸変性天然ゴム、マレイン酸エチレンプロピレンゴムおよびカルボン酸ニトリル−ブタジエンゴム、ブチルゴム、エピクロルヒドリンゴム、ニトリルゴム、水素化ニトリルゴム、スチレン−ブタジエンゴム、ウレタンゴム、フッ素ゴム、シリコンゴム、スチレン−エチレン−ブチレン−スチレン（ＳＥＢＳ）ゴム、エチレン−プロピレンゴム、エチレン−プロピレン−ジエン（ＥＰＤＭ）ゴム、ブタジエンゴム、クロロスルホン化ポリエチレン（ＣＳＰＥ）合成ゴム、エチレン酢酸ビニルゴム、および、アクリルゴムから成る群の少なくとも１つから選択されるのポリマー材料を有していてもよい。
【００２１】
上記張力装置７２は、上記つかみ装置５０および上記フレーム９４間の、制御された張力を提供することができれば、任意のタイプの市販のタイプの張力装置７２でよい。上記張力装置７２のいくつかの例は、バネ、ワイヤーひも、ゴムバンド、および、フック上のねじであってもよい。１つの好ましい態様は、各張力装置が、１つの入力供給ライン接続部７４を有する、空気圧シリンダ張力装置７２である。他の好ましい態様は、各張力装置７２が、１つの入力供給ラインおよびロックライン接続部７６を有するため、上記張力装置７２における張力を所定の位置にロックすることができる、空気圧シリンダ張力装置７２を有する。
【００２２】
上記フレーム９４は、上記フレーム９４が部分反射ビームスプリッタ９８を支持することができれば、任意のタイプの市販のタイプの上記フレーム９４でよい。１つの好ましい態様は、上記フレーム９４がトラスフレーム９４を有する。
【００２３】
上記巻上アセンブリ１００は、上記巻上アセンブリ１００が上記部分反射ビームスプリッタ９８を保持する上記フレーム９４を支持することができれば、任意のタイプの市販のタイプの巻上アセンブリ１００でもよい。１つの好ましい態様は、上記巻上アセンブリ１００が、滑車１０２と；ケーブル１０４と；ジャック１０６とを有する。
【００２４】
上記表示装置システムにおいては、任意の数々の付加的な随意な特徴を有していてもよい。例えば、随意の平坦化装置２８も、上記表示装置システムに含まれていてもよい。また、圧縮空気ライン９６の随意のセットも、上記表示装置システムに含まれていてもよい。また、手押し車(trolley)１０８も、上記表示装置システムに随意で含まれていてもよい。また、実質的に透明なフィルム８４のロール８０も、上記表示装置システムに随意で含まれていてもよい。この実施的に透明なフィルム８４は、ポリエチレン、ポリプロピレン、ポリブチレン、ポリカーボネート、ポリイミド、ポリスチレン、ポリメチルメタクリレート、ポリジメチルシロキサン、乳酸グリコール酸共重合体(poly(lactic-co-glycolic acid))、ポリエチレン・テレフタレート（ＰＥＴ）、ポリ塩化ビニリデン、ポリアミド、ポリエーテル・ブロック・アミド、トリニトロトリメチレントリアミン、ポリカプロラクタン、ポリテトラフルオロエチレン、 フッ化ビニリデン、ヘキサフルオロプロピレン、ポリ塩化ビニル、 ポリ臭化ビニル、ポリサッカライド、ポリエステル、ポリアミド、芳香族ポリアミド、ポリウレタン、ポリシロキサン、芳香族ポリマー、フェノールポリマー、ポリ硫化物、ポリアセタール、ハロゲン化ポリオレフィン、ポリエチレンオキサイド、ポリアクリレート、ポリメタクリレート、ポリカーボネート、ポリジエン、および、ヘキサメチレン・ジアミン・アジピン酸ポリマーから成る群の少なくとも１つから選択されるポリマー材料でできているものなど、任意の公知の市販の透明フィルムでもよい。１つの好ましい上記透明フィルムのポリマー材料は、ポリエチレン・テレフタレート（ＰＥＴ）でできている。
【００２５】
さらに他の、上記表示装置システムの好ましい態様は、ステップダウン棚３０を有するテーブル１０と；切断棒７８と；つかみ装置５０と；張力装置７２と；フレーム９４とを有する。
【００２６】
上記部分反射ビームスプリッタ９８の組立および表示の１つの好ましい態様は、添付し、ある角度に曲げ、付与し、取り付け、接続し、切断し、引っ掛け、相互に接続し、横たえ、据え付け、取得し、配置し、垂直にし(plumbing)、位置し、除去し、繰り返し、装備し(rigging)、封印し、固定し、スライドさせ、支持し、締め付け、トリミングし、巻き戻し、使用する工程を含む。
【００２７】
上記取得工程は、複数のテーブル１０と；複数のステップダウン棚３０と；複数の切断棒７８と；複数のつかみ装置５０であり、各つかみ装置５０が、２つの対向する顎５６を枢動可能に接続するヒンジ装置５４と；上記顎５６へ取り付けられたパッド５８と；少なくとも１つの上記顎５６へ取り付けられた止めねじ６０と；後部開口６２と；を有するクランプ５２と；上記クランプ５２へスライド可能にかみ合わせることができる引張り装置６４であり、引張り棒６６と；上記クランプ５２の上記後部開口６２へスライド可能にかみ合わせることができる連結器６８；とを有する引張り装置６４と；を有する各つかみ装置５０と；複数の張力装置７２と；フレーム９４と；巻上アセンブリ１００であって、滑車１０２と；ケーブル１０４と；ジャック１０６とを有する巻上アセンブリ１００と；複数の台車９２と；手押し車１０８と；平坦化装置２８と；圧縮空気ラインと；手押し車１０８と；実質的に透明なフィルム８４のロール８０と、を有する表示装置システムを取得することを含む。
【００２８】
上記使用工程は、上記テーブル１０を平坦化するために上記平坦化装置２８を使用することを含む。
【００２９】
上記相互に接続する工程は、上記テーブル１０を相互に接続することを含む。
【００３０】
上記接続工程は、上記相互に接続されたテーブル１０の周りに、上記ステップダウン棚３０を接続することを含む。
【００３１】
上記横たえる工程は、上記相互に接続されたテーブル１０の周りに上記切断棒７８が分配されるように、上記接続されたステップダウン棚３０上に上記切断棒７８を横たえることを含む。
【００３２】
上記引っ掛ける工程は、上記台車９２上へ上記実質的に透明なフィルム８４のロール８０を引っ掛けることを含む。
【００３３】
上記添付する工程は、上記接続されたステップダウン棚３０上へ上記実質的に透明なフィルム８４のロール８０の後縁８２を添付することを含む。
【００３４】
上記巻き戻し工程は、上記相互に接続されたテーブル１０の上方に上記実質的に透明なフィルム８４のロール８０の一部を巻き戻すことを含む。
【００３５】
上記切断工程は、上記相互に接続されたテーブル１０上に、実質的に透明なフィルム８４のシート８６を残すために、上記実質的に透明なフィルム８４のロール８０の巻き戻された部分を切断することを含む。
【００３６】
上記繰り返し工程は、多層フィルム装置８８を築くために、添付し、巻き戻し、および切断する手順を繰り返すことを含む。
【００３７】
上記トリミング工程は、ガイドとして上記切断棒７８を使用することにより、上記多層フィルム装置８８をトリミングすることを含む。
【００３８】
上記除去工程は、上記トリミング手順が完了した後に、上記切断棒７８を上記相互に接続されたテーブル１０から離して除去することを含む。
【００３９】
上記位置する工程は、上記トリムされた多層フィルム装置８８の周りに、上記クランプ５２を位置することを含む。
【００４０】
上記締め付け工程は、上記トリムされた多層フィルム装置８８上に上記パッド５８が保持されるように、上記各位置されたクランプ５２の上記止めねじ６０を締め付けることを含む。
【００４１】
上記スライドさせる工程は、上記トリムされた多層フィルム装置８８の周りに上記つかみ装置５０を形成するために、各位置されたクランプ５２の後端における上記後部開口６２内へ、近接してつなぎ合わされている上記引張り装置６４をスライドさせることを含む。
【００４２】
上記配置する工程は、上記トリムされた多層フィルム装置８８の周りに上記フレーム９４を配置することを含む。
【００４３】
上記据え付け工程は、上記各位置されたクランプ５２に、上記引張り棒６６において、かつ、上記位置されたフレーム９４上へ、上記張力装置７２を据え付けることを含む。
【００４４】
上記垂直にする(plumbing)工程は、上記据え付けられた張力装置７２へ、上記圧縮空気ライン９６を垂直にすることを含む。
【００４５】
上記付与する工程は、実質的に平面な構成内へ、上記トリムされた多層フィルム装置８８を固定するために、上記垂直にされた圧縮空気ライン９６に圧力を付与することを含む。
【００４６】
上記固定工程は、上記フレーム９４内の上記トリムされた多層フィルム装置８８の上記実質的に平面な構成を維持するために、上記圧力を付与し、上記張力装置７２を所定の位置に固定することを含む。
【００４７】
上記封印工程は、上記部分反射ビームスプリッタ９８を形成するために据え付けられた上記トリムされた多層フィルム装置８８の全ての露出された角９０の周りのつかみ装置５０を封印することを含む。
【００４８】
上記取り付け工程は、上記ビームスプリッタ９８の上記フレーム９４へ、上記台車９２を取り付けることを含む。
【００４９】
上記装備(rigging)工程は、上記ビームスプリッタ９８の上記フレーム９４へ、上記巻上アセンブリ１００および上記手押し車１０８を装備することを含む。
【００５０】
上記ある角度に曲げる工程は、上記巻上アセンブリ１００を使用することにより、上記ビームスプリッタ９８の上記フレーム９４を視野角へ曲げることを含む。
【００５１】
上記支持工程は、上記フレーム９４を支持するために、上記ジャック１０６および上記巻上アセンブリ１００を使用することにより、上記ビームスプリッタ９８の上記ある角度に曲げられたフレームを支持することを含む。
【００５２】
上記部分反射ビームスプリッタ９８の組立および表示方法のさらなる他の態様は、隣接、一直線に並べる、張力を張る、クランプ５２する、結合、連結、入手、反復、取り外し、スライス、および、ほどき工程を含む。
【００５３】
上記入手工程は、ステップダウン棚３０を有するテーブル１０と；切断棒と；複数のつかみ装置５０と；複数の張力装置７２と；フレーム９４とを有する表示装置システムを入手することを含む。
【００５４】
上記隣接工程は、上記接続されたステップダウン棚３０上へ上記実質的に透明なフィルム８４の上記ロール８０の後縁８２を隣接させることを含む。
【００５５】
上記ほどき工程は、テーブルの上方に上記実質的に透明なフィルム８４の上記ロール８０の一部をほどくことを含む。
【００５６】
上記スライス工程は、上記テーブル上に実質的に透明なフィルム８４のシート８６を残すために、実質的に透明なフィルム８４の上記ロール８０の、上記ほどかれた部分を切り取ることを含む。
【００５７】
上記反復工程は、多層フィルム装置８８を築くために、上記隣接、ほどき、および、剪断手順を反復することを含む。
【００５８】
上記クランプ５２する工程は、上記多層フィルム装置８８の周りに、上記つかみ装置５０をクランプ５２することを含む。
【００５９】
上記一直線に並べる工程は、上記トリムされた多層フィルム装置８８の周りに、上記フレーム９４を一直線に並べることを含む。
【００６０】
上記連結工程は、上記フレーム９４へ、上記つかみ装置５０を連結することを含む。
【００６１】
上記結合工程は、上記接続されたつかみ装置５０上へ、かつ、上記フレーム９４上へ、上記張力装置７２を結合することを含む。
【００６２】
上記張力を張る工程は、上記フレーム９４内の実質的に平面の構成内へ、上記トリムされた多層フィルム装置８８を固定するために、上記張力装置７２の張力を張ることを含む。
【００６３】
上記取り外し工程は、上記張力装置７２を取り外すことを含む。
【００６４】
ここで、本発明の上記表示装置システムの相互に接続されたテーブル１０の、上面および下面斜視図を描く図１を参照する。上記相互に接続されたテーブル１０は、ラッチ１８を介して相互に接続されて示されている。各テーブル１０は、上面１２と；下面１４と；上記下面１４へ取り付けられた複数の高さ調整可能脚１６と；上記下面１４へ取り付けられた複数のラッチ１８とを有することが示されている。上記テーブル１０の各脚１６は、上記下面１４へ取り付けられた連結基盤２０と；上記連結基盤２０取り付けられたシャフト２２と；上記シャフト２２へ取り付けられたフット２４とを有するように示されている。また、上記相互に接続されたテーブル１０の上記上面１２を実質的に平坦化するのに用いられる任意の平坦化(leveling)装置２８も示されている。
【００６５】
ここで、本発明の上記表示装置システムの一態様の、ステップダウン棚３０と相互に接続されたテーブル１０の、上面および下面斜視図を描く図２を参照する。上記ステップダウン棚３０は、連結板３８を介して上記テーブル１０へ取り付けられて示されている。上記ステップダウン棚３０は、頂面３２と；底面３４と；上記底面３４へ取り付けられた複数の高さ調整可能支柱３６と；同様に上記底面３４へ取り付けられた複数のクラスパー４４とを有するように示されている。上記ステップダウン棚３０の各支柱は、上記底面３４へ取り付けられた連結板３８と；上記連結板３８へ取り付けられたシャンク４０と；上記シャンク４０へ取り付けられたフッター４２とを有するように示されている。
【００６６】
ここで、相互に接続されたテーブル１０およびステップダウン棚３０の部分上面斜視図を描く図３を参照する。複数の切断棒７８は、相互に接続されたテーブル１０の側面に沿って平坦に、かつ、上記ステップダウン棚３０の上に据え付けられているように示されている。また、上記相互に接続されたテーブル１０の高さ調整可能脚１６のいくつか、および、上記ステップダウン棚３０の高さ調整可能支柱３６のいくつかも示されている。
【００６７】
ここで、つかみ装置(gripper unit)の一態様の斜視図を描く図４を参照する。上記つかみ装置５０は、クランプ５２および引張り装置６４を有するように示されている。上記クランプ５２は、２つの対向する顎５６を枢動可能に接続するヒンジ装置５４と；上記顎５６へ取り付けられたパッド５８と；少なくとも１つの上記顎５６へ取り付けられた止めねじ６０と；後部開口６２とを有するように示されている。上記引張り装置６４は、上記クランプ５２の上記後部開口６２内に、スライド可能にかみ合わされているように示されている。上記引張り装置６４は、引張り棒６６と、上記クランプ５２の上記後部開口６２へスライド可能にかみ合わされた連結器６８とを有するように示されている。
【００６８】
ここで、本発明の上記表示装置システムの一態様の上記多層フィルム装置８８上へ上記つかみ装置５０をしっかりとつかませるために用いられる手順における種々のポイントを描いている、つかみ装置５０の一態様の上記クランプ５２および上記引張り棒６６の側面図である図５の（ａ）〜（ｄ）を参照する。上記クランプ５２は、ヒンジと、２つの対向する顎５６と、パッド５８と、止めねじ６０と、後部開口６２とを有するように示されている。上記引張り装置６４は、引張り棒６６と、連結器６８とを有するように示されている。図５（ａ）に示されているように、上記クランプ５２および引張り棒６６は、接続されていない。図５（ｂ）に示されているように、上記止めねじ６０は、上記対向する顎５６を広げ、その内部に多層フィルム装置８８を挿入できるように、緩められる。図５（ｃ）に示されているように、上記パッド５８は、上記対向する顎５６を閉じることにより、上記多層フィルム装置８８をしっかりとつかむように配置され、上記止めねじ６０は、上記多層フィルム装置８８へ上記対向する顎５６をしっかりとロックするために用いられる。図５（ｃ）において上記引張り棒６６は、上記パッド５８および上記対向する顎５６が、上記多層フィルム装置８８の端部上にロックされたままである、上記クランプ５２の上記後部開口６２内に、スライド可能に挿入されているように示されている。図５（ｄ）において上記引張り棒６６は、上記クランプ５２から遠ざけるように強いられ、結果的に上記引張り棒６６の上記連結器６８が、上記対向する顎５６の後端が離れるように強い、その結果、上記対向する顎５６の前端が上記パッド５８を、上記パッド５８が上記多層フィルム装置８８の上記端部をよりしっかりとつかむように強いることが示されている。これは、
上記プラー６８を角度のある方法で(in angular fashion)次第に引張り、上記つかみ装置５０の上記クランプ５２の上記後部開口６２へかみ合う、上記圧縮空気シリンダ７２へ一旦空気が供給されると、上記多層フィルム装置８８の上記端部上へ次第に締まることに実質的に貢献すると考えられている。これは、上記クランプ５２によって、上記多層フィルム装置８８の上記端部上に及ぼされる張力が等しく調和されることを許容する。
【００６９】
ここで、張力装置に連結された引張り装置６４の一態様の斜視図である図６を参照する。この態様において上記引張り装置６４は、引張り棒６６と、連結器６８とを有するように示されている。上記張力装置は、ひも、バネ、ねじ付ボルト、バンジーコード、空気圧シリンダなどである、任意の種類の張力装置であってもよい。示された上記張力装置は、上記引張り装置６４の上記連結器６８に連結されている。示されている特定の上記張力装置は、入力供給ライン接続部７４と、ロックライン接続部７６をと有する空気圧シリンダ張力装置を含有し、上記張力装置における張力を所定の位置にロックすることができる。
【００７０】
ここで、ロール８０からどのように透明フィルムのシート８６を引き出すかの斜視図を描く図７の（ａ）〜（ｃ）を参照する。上記相互に接続されたテーブル１０に接続されている上記ステップダウン棚３０に沿って、上記相互に接続されたテーブル１０が実質的に平坦化された後、上記相互に接続されたテーブル１０に寄せて、および、上記ステップダウン棚３０上に、上記切断棒７８が横たえられる。上記実質的に透明なフィルム８４のロール８０は、台車９２上へ引っ掛けられている。上記実質的に透明なフィルム８４の上記ロール８０の後縁８２はその後、接続された上記ステップダウン棚３０上へ添付される。その後上記実質的に透明なフィルム８４のロール８０の一部は、上記相互に接続されたテーブル１０、上記切断棒７８、および、部分的に上記ステップダウン棚３０の上方および上に、慎重に巻き戻される。その後実質的に透明なフィルム８４の上記ロール８０上記巻き戻された部分は切断され、上記相互に接続されたテーブル１０上に、実質的に透明なフィルム８４のシート８６が残される。この添付、巻き戻す、切断の工程は、所望の数の上記実質的に透明なフィルム８４のシート８６の層が上記相互に接続されたテーブル１０の上に準備されるまで繰り返される。
【００７１】
ここで、トリミングを一直線にするために、切断縁および切断棒７８を用いて、トリミングシート８６によって準備された、上記多層フィルム装置８８の斜視図を描く図８を参照する。また、上記相互に接続されたテーブル１０から張り出している上記多層フィルム装置８８を有する、上記相互に接続されたテーブル１０の周りの、いくつかの上記ステップダウン棚３０も示されている。
【００７２】
ここで、上記つかみ装置の上記クランプ５２を支持する、ステップダウン棚３０を有する上記相互に接続されたテーブル１０上の上記トリムされた多層フィルム装置８８の側面図である図９を参照する。上記クランプ５２は、上記張り出している多層フィルム装置８８の一部を上記開いている顎５６内に有する、開位置において示されている。上記クランプ５２は、ヒンジ装置５４と、２つの対向する顎５６と、パッド５８と、止めねじ６０と、後部開口６２とから構成されていることが示されている。
【００７３】
ここで、本発明の上記表示装置システムの複数のつかみ装置５０によってつかまれている、上記トリムされた多層フィルム装置８８の部分斜視図を描く図１０を参照する。また、いかなるクランプ５２によってもつかまれていない、上記トリムされた多層フィルム装置８８の角９０も示されている。各上記つかみ装置５０は、引張り装置６４へスライド可能に接続されたクランプ５２を有するように示されており、上記引張り装置６４は、引張り棒６６と、連結器６８と、任意の安定器ロッド７０とを有するように示されている。
【００７４】
ここで、上記多層フィルムの周りに配置され、その後、上記つかみ装置５０と上記フレーム９４との間に上記張力装置７２をつなぎ合わせることにより、上記多層フィルムへ固定されたフレーム９４の部分斜視図である図１１の（ａ）〜（ｂ）を参照する。
【００７５】
ここで、上記多層フィルムの周りに配置され、その後、上記つかみ装置５０と上記フレーム９４との間に上記張力装置７２をつなぎ合わせることにより、上記多層フィルムへ固定されたフレーム９４の上面図である図１２の（ａ）〜（ｂ）を参照する。また、本発明の上記部分反射ビームスプリッタ９８を準備するために、上記フレーム９４内に据え付けられた、相対的に平坦な多層フィルムを固定する力を提供するための、上記張力装置７２へ接続された、任意の圧縮空気ライン９６も示されている。
【００７６】
ここで、上記本発明の上記部分反射ビームスプリッタ９８を準備するための上記表示装置システムの上記多層フィルム装置８８へ固定された上記フレーム９４の一態様の上面図を描く図１３の（ａ）〜（ｂ）を参照する。上記フレーム９４内に据え付けられた相対的に平坦な多層フィルムを固定するために必須の力を提供するように、上記張力装置７２が一旦構成されると、その張力(tensioning)は、上記引張り装置６４の上記安定器ロッド７０によって所定の位置にロックされてもよい。その結果、上記張力装置７２は、上記圧縮空気ライン９６に沿って、準備された上記本発明の上記部分反射ビームスプリッタ９８の重量を最小化するために、その後除去されてもよい。
【００７７】
ここで、支持され、視野角に曲げられた上記表示装置システムの上記完全に組み立てられた部分反射ビームスプリッタ９８の斜視図を描く図１４を参照する。また、滑車１０２と；ケーブル１０４と；ジャック１０６とを含む上記巻上アセンブリ１００も示されている。また、上記部分反射ビームスプリッタ９８の移動のために用いられる、上記巻上アセンブリ１００に接続された任意の手押し車１０８、および、上記フレーム９４に接続された上記台車９２も示されている。
【００７８】
上記表示装置システムおよび部分反射ビームスプリッタの組立方法の好ましい態様が詳細に記載されているが、それに対する改良および変更が可能であることは明らかであり、それらの全ては、本発明の真の精神および範囲内に含まれる。上記説明については、サイズの変更を含む上記本発明の上記部品の最適な寸法関係、材料、形状、形態、機能および操作方法、組立方法および使用方法は、当業者にとってすぐに分かり、自明であるとみなされ、図面に描かれ、明細書に記載されたものと同等な全ての関係は、本発明に含まれることが意図されると認識されるべきである。
【００７９】
従って、前述のものは、本発明の概念のみの説明であると考えられる。さらに、当業者は数々の改良および変更を容易に思いつくため、まさに示され、説明された構成および操作に本発明を限定することは望まれず、従って、全ての適切な改良および同等のものは、本発明の範囲内に分類され得る。
【図１】
2015526762.tif 000003
【図２】
2015526762.tif 000004
【図３】
2015526762.tif 000005
【図４】
2015526762.tif 000006
【図５】
2015526762.tif 000007
【図６】
2015526762.tif 000008
【図７】
2015526762.tif 000009
【図８】
2015526762.tif 000010
【図９】
2015526762.tif 000011
【図１０】
2015526762.tif 000012
【図１１ａ】
2015526762.tif 000013
【図１１ｂ】
2015526762.tif 000014
【図１２】
2015526762.tif 000015
【図１３】
2015526762.tif 000016
【図１４】
2015526762.tif 000017
【国際調査報告】
2015526762.tif 000018
2015526762.tif 000019
2015526762.tif 000020